(57)【特許請求の範囲】
【請求項１】
多層袋であって、
イ．閉鎖底端部、
ロ．前記多層袋が充填された後に閉鎖して閉鎖上端部を形成するために閉鎖され得る開放上端部、ならびに
ハ．前記多層袋の閉鎖上端部の開放を促進する引き裂き手段を有するカバーシートを含み、
前記カバーシートは、前記引き裂き手段により分離される第一カバーシート部および第二カバーシート部を含み、
第一カバーシート部は、前記開放上端部が閉鎖されて閉鎖上端部を形成するときに前記開放上端部の領域で前記多層袋に付着されて固定維持され、かつ第二カバーシート部は、前記開放上端部が第二カバーシート部上へ閉鎖され付着されて閉鎖上端部を形成するときに前記多層袋へ固定され、それにより前記引き裂き手段が閉鎖上端部の一部を形成し、前記引き裂き手段の引き裂きが前記多層袋の中身へのアクセスを促進する、多層袋。
【請求項２】
前記多層袋は前記開放上端部で所定設計により予かじめ切断されかつ折曲げられ、かつ前記カバーシートは前記引き裂き手段が前記多層袋の前記閉鎖上端部の一部になるように選択された場所で前記多層袋の外壁へ接合されている、請求項１に記載の多層袋。
【請求項３】
（ｉ）  前記閉鎖底端部、前記開放上端部、および前記カバーシートを有する外袋、および
（ｉｉ）  物品を充填して封鎖できる内袋を含む、請求項１または２に記載の多層袋。
【請求項４】
次の工程を含む閉鎖された多層袋を形成する方法であって、
（ｉ）  請求項１から３のいずれか１に記載の前記多層袋へ前記多層袋の開放上端部を介して物品を充填し、かつ
（ｉｉ）  前記多層袋を前記開放上端部で折曲げて、前記多層袋の易開放性を促進する前記引き裂き手段を一部に有する前記閉鎖上端部を形成する、閉鎖多層袋の形成方法。
【発明の詳細な説明】
【０００１】
本発明は多層袋に関する。
【０００２】
多層袋の『多層』の用語は次の袋を意味すると理解されている。
（ｉ）  ２以上の壁、
（ｉｉ）  前記各壁は紙、ポリマー、または他のいずれかの適宜材料により形成され、かつ
（ｉｉｉ）  前記各壁は接着剤により共に接着され、袋は単一の多層袋であるか、または分離していてよく（部分的に共に接着されかつ部分的に分離している）、それにより前記袋は外袋および前記外袋内に位置決めされた１以上の内袋を含む。
【０００３】
本発明は、特に、排他的意味を有しないが、代表的には紙で形成された単一層または多層の外袋、および代表的にはポリマー材料により形成された内袋を含む多層袋に関する。
前記多層袋は粉末ミルク物質等の乾燥食品を含む広範囲の物品の保存に好適である。
【０００４】
かかる物品の保存において、製品寿命を最大限にするためにポリマー材料により形成された袋内に乾燥食品が完全に密封されることを確実にすることが重要である。強力な外袋（通常、２以上の紙壁を有する）が内袋を保護し、かつ封入された製品の取扱および同一性の確認を容易にする必要がある。
乾燥食品用の既知多層壁紙／ポリマー材による袋は、ポリエチレン内袋、およびブロックした（型取りした、例えば、矩形の）底端部または『ピンチ』（即ち、扁平に折曲げた）底端部を有する紙製外袋から成る。
【０００５】
いくつかの既知多層紙／ポリマー材による袋は、鋭利道具を使用することなく該多層袋の外紙袋の開放を容易にするために『易開放性』を促進する引き裂き手段を底端部に形成し、それにより該袋からのポリマー材による内袋の除去を容易にする。易開放性引き裂き手段は、接着されるカバーシート（しばしばパッチと呼ばれる）へ結合され、それにより該多層袋の製造時に折曲げた外紙袋の底端部を被覆する。かかる食品の充填を容易にする開放上端部を有する多層袋は食品製造業者に販売され、そこで『ピンチ』方法によりピンチ上端部を形成することにより、または縫合により縫合上端部を形成することにより閉鎖される。この閉鎖工程は食品製造業者側で完成される。
【０００６】
底端部に易開放性特徴を有する紙／ポリマー材による多層袋の製造に必要な製造工程は高度な精確性を必要とする。
特に、ブロック底を有する袋の場合、ブロック底を有する袋の基部に易開放性特徴を有するカバーシートは、引き裂き片が折曲げた袋端部の下の縁部に正確に一致するように注意深く位置決めする必要がある。正確に一致していない場合、鋭利道具を使用することなく紙製外袋の底を開放することは不可能である。
【０００７】
易開放性カバーシートの正確な位置決めを確実にするために必要とされる袋製造作業の制御はかかる袋の製造コストを相当に高くする。
本発明の特定課題は上述の既知紙／ポリマー材による多層袋に関する問題を解決することにある。
本発明の概ねの課題は、易開放能力を有する改良された多層袋を提供することにある。この課題は、上述の単に既知紙／ポリマー材による多層袋のみならず、上記定義の『多層』で構成された袋の範囲に入る単一多層袋を含む他の袋に及ぶ。
【０００８】
本発明によれば、多層袋は、
イ．閉鎖底端部、および
ロ．開放上端部を有し、前記開放上端部は閉鎖時に袋の容易開放を促進する引き裂き手段を有する閉鎖上端部を形成する。
前記易開放性多層袋は上述の既知易開放性紙／ポリマー材による多層袋よりも製造が煩雑でなく、多層袋の開放がより一層効果的であり、かつ製造コストは廉価である。
【０００９】
前記閉鎖上端部は適宜形態をとってよい。例えば、前記閉鎖上端部はピンチ上端部であってよい。他の例として、前記閉鎖上端部は、粉末サック用に使用される縫合された上端部、縫合しかつ折曲げた上端部、または折曲げかつ縫合した上端部であってよい。
ここで使用される用語、『引き裂き手段』は、ストリング、ストリップ、リボンまたはロープ等の多層袋の引き裂きに適したいずれの細長い可撓性要素をも含むことが意図されている。かかる引き裂き手段は、多層袋の外壁の一部として一体的に形成されても、また外壁に固定または他の方法により外壁に位置決めされてもよく、前記閉鎖上端部が形成されるときに閉鎖上端部の一部を形成するものであってよい。
【００１０】
前記引き裂き手段は紙または他の適宜材料により形成されたカバーシートの一部を形成していてよい。
好適には、前記カバーシートは、多層袋の開放上端部の一部が折曲げられて閉鎖端部を形成するときに、前記引き裂き手段がその閉鎖上端部の一部となるように選択された場所で多層袋に固定される。
【００１１】
更に好適には、前記多層袋は前記開放上端部で所定設計により予め切断されかつ折曲げられており、かつ前記カバーシートは前記引き裂き手段がその多層袋の閉鎖上端部の一部となるように選択された場所で該多層袋の外壁へ接合される。
前記引き裂き手段は、その引き裂き手段の一側で第一カバーシート部、およびその引き裂き手段の他側で第二カバーシート部を有するカバーシートの一部を形成することが特に好ましい。
【００１２】
前記カバーシートの第一カバーシート部は、多層袋の上端部が該カバーシートの第二カバーシート部上へ折曲げられて、典型的には接着、かつ／または縫合、かつ／または他の適宜手段により閉鎖上端部を形成する工程で第二カバーシート部へ固定されるように選択された位置で該多層袋の外壁へ固定、典型的には、接着される。この構成により、前記引き裂き手段を前記多層袋から取外しかつ前記カバーシートの第二カバーシート部を反対方向へ引っ張ることにより閉鎖上端部を開放することができる。前記カバーシートの第二カバーシート部は多層袋の折曲げた上端部へ接着されるので、第二カバーシート部の引っ張り運動が多層袋の上端部の折曲げを解放して該多層袋へのアクセスを可能にする。
【００１３】
前記多層袋は好適には次の構成要素を含む：
（ｉ）  前記閉鎖底端部、前記開放上端部、および前記引き裂き手段を有する外袋、および
（ｉｉ）  物品を充填して封鎖できる内袋を含む。
前記内袋および外袋は適宜材料により形成されてよい。
【００１４】
好適には、前記内袋はポリマー材により形成される。
好適には、前記外袋は紙により形成される。
更に好適には、前記外袋は複数層の紙から成る。
好適には、前記外袋はブロック端部を有する構成である。
本発明によれば、閉鎖多層袋は次の工程を含む方法により形成される：
（ｉ）  前記多層袋の前記開放上端部を介して該多層袋へ物品を充填し、かつ
（ｉｉ）  前記多層袋を前記開放上端部で折曲げて前記多層袋の易開放性を促進する前記引き裂き手段を有する閉鎖上端部を形成する。
【００１５】
前記方法は前記工程（ｉｉ）の前に充填された多層袋の閉鎖された開放上端部を縫合することを含む。
本発明によれば、次の工程を含む多層袋の製造方法が提供される：
（ｉ）  閉鎖底端部および開放上端部を有する多層袋を形成し、かつ
（ｉｉ）  前記多層袋を充填しかつ前記開放上端部に閉鎖上端部を形成するときに、引き裂き手段の引っ張りがその外袋の易開放性を促進するように前記多層袋に前記引き裂き手段を接着または他の方法により取付ける。
【００１６】
好適には、前記閉鎖上端部は前記多層袋を前記開放上端部で折曲げることにより前記工程（ｉｉ）において形成される。
好適には、前記工程（ｉ）で形成された前記開放上端部は前記閉鎖上端部の形成を可能にするために予め切断されかつ折曲げられる。
上述のごとく、前記閉鎖上端部は適宜形態であってよく、例えばピンチした上端部、縫合した上端部、縫合しかつ折曲げた上端部、または折曲げかつ縫合した上端部であってよい。
【００１７】
好適には、前記引き裂き手段は、前記多層袋の外壁へ前記開放上端部で、前記開放上端部の側方へ延びるように該引き裂き手段を接着することにより前記多層袋へ取付けられる。
好適には、前記引き裂き手段は、前記引き裂き手段の一側で第一カバーシート部を含み、かつ前記引き裂き手段の他側で第二カバーシート部を含むカバーシートの一部を形成し、かつ前記引き裂き手段は前記第一カバーシート部を前記多層袋の外壁へ接着することにより前記多層袋へ固定される。
【００１８】
本発明によれば、物品で充填された多層袋が提供され、この多層袋は閉鎖底端部、および上端部で易開放性を促進する引き裂き手段を有する閉鎖上端部を含む。
本発明を添付図面を参照して更に詳細に説明する。
図１および２は製造形態における多層袋１の一実施形態を示す。
【００１９】
図１および２を参照すると、上記多層袋は内外紙壁２１ａ，２１ｂを有し、両紙壁は共に接着されて、ブロック底端部２および開放上端部を形成している。
開放上端部は多層袋１を閉鎖するピンチ上端部２８（図２）を形成する設計になっている。この関係で、多層袋１は内外紙壁２１ａ，２１ｂの内面上に溶融接着剤２６の線を含み、この線は開放上端部で扁平多層袋１の一側を横切って延びている。
【００２０】
本発明はピンチ上端部の形成に制限されず、いずれの適宜閉鎖上端部をも含む。例えば、本発明は粉末物質用袋に使用される縫合／折畳み、かつ折畳／縫合した上端部を含む。
図１ｂから理解されるように、製造形態の多層袋１は更に紙カバーシート２２を含み、この紙カバーシート２２は溶融接着剤２６が塗布された側と反対の扁平多層袋１側の紙壁２１ａの外面へ接合される。紙カバーシート２２は引き裂き片２４を含み、この引き裂き片２４は紙カバーシート２２を紙カバーシート下部２部２２ａと紙カバーシート上部２２ｂに分離する。紙カバーシート下部２２ａは多層袋１へ接合される。
【００２１】
紙カバーシート２２の位置は、使用時に、ピンチ上端部２８が図１および１ｂに示された矢印の方向へ多層袋の開放上端部で内外紙壁２１ａ，２１ｂの各部上へ折曲げることにより形成されるときに、溶融接着剤２６の線は引き裂き片２４上方の紙カバーシート２２の紙カバーシート上部２２ｂの外面と接触してそこへ接着するように選択される。
【００２２】
特に、使用時に、多層袋１は次の工程で閉鎖される。
（ｉ）物品が多層袋の基部を押圧して扁平袋を広げるように物品を充填して図１に示されたようなブロック閉鎖底部を有する充填膨張袋を形成する。
（ｉｉ）  多層袋の開放上端部を扁平に押圧して該開放上端部の内外紙壁２１ａ，２１ｂの部の上へ折曲げ、かつ溶融接着剤２６の線を紙カバーシート２２の紙カバーシート上部２２ｂと接触させる。
【００２３】
（ｉｉｉ）折曲げた領域を加熱加圧して溶融接着剤を溶融し、扁平にした開放上端部側の内外紙壁２１ａ，２１ｂの内面を紙カバーシート２２へ接着する。
この結果として、図１ｃに示されたように、ピンチ上端部２８が形成されかつ多層袋１の開放上端部を固く閉鎖する。
この構成により、ピンチ上端部２８は引き裂き片２４を除去しかつ紙カバーシート２２の紙カバーシート上部２２ｂを上方へ引っ張る（図１ｃに示されたように）ことにより開放する。この運動はピンチ上端部２８の折曲げを開き、かつ多層袋１の収容物への直接的アクセスを可能にする。
【００２４】
図３から１２に示された多層袋１の形態はポリマー材による内袋および紙製多層外袋により形成される。多層袋１の外袋は図３から５に示されたようにブロック底端部２、または図６から１２に示されたようにピンチ底端部２を含む。
図３から５に示された多層袋１の形態は次の工程により製造される。
（ｉ）  内袋（図示せず）、ならびに閉鎖したブロック底端部２、およびピンチ上端部の形成を可能にするように切断されかつ折曲げられた開放上端部３を有する全体が参照番号３２により示された外袋を有する袋を形成し、かつ
（ｉｉ）プラスチックリボン４の形態の引き裂き手段を外袋３２へ開放上端部３で接着して、プラスチックリボン４が外袋３２の開放上端部の側方へ延びて図３に示された多層袋の製造形態の袋を形成する。
【００２５】
使用時に、図３から５に示された形態の多層袋１は次の工程により閉鎖される。
（ｉ）  多層袋１に物品を充填し、その物品により多層袋１の基部を押圧して広げ、かつ図４に示されたようにブロック底部を有する充填膨張袋を形成し、
（ｉｉ）  各内袋を多層袋の開放上端部の領域における内袋の部を横切る線に沿って押圧しかつその線に沿って内袋を加熱封鎖することにより内袋内の物品を封鎖し、かつ
（ｉｉｉ）  図４の矢印の方向へ開放上端部で外袋３２を折曲げて、プラスチックリボン４上にピンチ上端部を形成し、かつ閉鎖されたピンチ上端部を接着する。
【００２６】
図２から５に示された閉鎖袋の形態は、上端部に易開放性特徴を有し、既知ブロック基部引き裂き片を有するものと比較してアクセスが簡単、操作が簡単、かつ製造時に位置決めが簡単である。
袋の上端部に易開放性引き裂き手段を有する多層袋を製造する他の方法は図６から９に示されている。
【００２７】
本発明のこの実施形態によれば、多層袋（ピンチを下端部に有する袋）は物品の挿入により充填された袋を形成する。プラスチックリボン４は閉鎖工程時に折曲げた部へ挿入され、ピンチ上端部が接着により閉鎖されるときにピンチ上端部にそれが保持されるようにする。
内袋はプラスチックリボン４を引っ張って多層シートを引き裂くことにより多層袋から取外すことができる。この多層袋は、逆さにすることにより内袋５の除去を可能にする。
【００２８】
本発明の精神および範囲を逸脱することなく本発明の好適形態について変更が可能である。
【図面の簡単な説明】
【図１】  図１は製造形態における本発明の一実施形態による多層袋の斜視図である。
【図１ａ】  図１ａは図１の円形領域の拡大図である。
【図１ｂ】  図１ｂは図１ａの１ｂ−１ｂ線に沿った断面図である。
【図１ｃ】  図１ｃは物品を充填してピンチ上端部を閉鎖した後の多層袋を示す図１ｂと同様の図である。
【図２】  図２は粉末物質等の物品を充填し、開放上端部を折曲げてピンチ上端部を形成することにより閉鎖した後の図１の多層袋を示す斜視図である。
【図３】  図３は本発明の他の実施形態による多層袋の立面図である。
【図４】  図４は物品を充填し、開放上端部を折曲げてピンチ上端部を形成する前の図３の多層袋を示す斜視図である。
【図５】  図５はピンチ上端部を形成した後の図４の多層袋の斜視図である。
【図６】  図６は本発明の第二実施形態の袋の製造を示す立面図である。
【図７】  図７は本発明の第二実施形態の袋の製造を示す立面図である。
【図８】  図８は本発明の第二実施形態の袋の製造を示す立面図である。
【図９】  図９は本発明の第二実施形態の袋の製造を示す立面図である。
【図１０】  図１０は外袋を開放して内袋を除去する連続過程を示す図９の多層袋の立面図である。
【図１１】  図１１は外袋を開放して内袋を除去する連続過程を示す図９の多層袋の立面図である。
【図１２】  図１２は外袋を開放して内袋を除去する連続過程を示す図９の多層袋の立面図である。
【図１】
0004271848.tif 000002
【図２】
0004271848.tif 000003
【図１ａ】
0004271848.tif 000004
【図１ｂ】
0004271848.tif 000005
【図１ｃ】
0004271848.tif 000006
【図３】
0004271848.tif 000007
【図４】
0004271848.tif 000008
【図５】
0004271848.tif 000009
【図６】
0004271848.tif 000010
【図７】
0004271848.tif 000011
【図８】
0004271848.tif 000012
【図９】
0004271848.tif 000013
【図１０】
0004271848.tif 000014
【図１１】
0004271848.tif 000015
【図１２】
0004271848.tif 000016